(57)【要約】【課題】表面に傷のついたＣＤ（コンパクトディスク）を研磨して再生する。【解決手段】上面にＣＤ２が載置されてモータ４によって回転駆動されるターンテーブル１と、ターンテーブル１に対向する上方に回転軸をＣＤ２の縁より外側にして支持されたバフ研磨盤５と、ターンテーブル１に対向する上方であってバフ研磨盤５の反対位置に回転軸をＣＤ２の縁より外側にして支持されたスポンジからなる仕上げ盤８と、ターンテーブル１の駆動モータ部４を収納する下部筐体３と、下部筐体３に上下方向開閉自在に支持されるとともに前記バフ研磨盤５および仕上げ盤８のそれぞれの駆動モータ部を収納する上部筐体７と、上部筐体７に収納されたバフ研磨盤５および仕上げ盤８の上端部にそれぞれ設けられて盤の下端位置を昇降自在に調節する押圧レベル調整機構部とを備える。【選択図】  図１
2004185711.tif 000002
【特許請求の範囲】
【請求項１】
上面にＣＤが載置されてモータによって回転駆動されるターンテーブルと、
このターンテーブルに対向する上方に回転軸をＣＤの縁より外側にして支持されたバフ研磨盤と、
前記ターンテーブルに対向する上方であって前記バフ研磨盤の反対位置に回転軸をＣＤの縁より外側にして支持された仕上げ盤と、
前記ターンテーブルの駆動モータ部を収納する下部筐体と、
この下部筐体に上下方向開閉自在に支持されるとともに前記バフ研磨盤および仕上げ盤のそれぞれの駆動モータ部を収納する上部筐体と、
前記上部筐体に収納されたバフ研磨盤および仕上げ盤の上端部にそれぞれ設けられて盤の下端位置を昇降自在に調節する押圧レベル調整機構部と、
前記上部筐体の前面に設けられてバフ研磨盤および仕上げ盤の駆動モータの消費電流をそれぞれ示す１対の電流計と、
を備え前記ターンテーブルとバフ研磨盤と仕上げ盤を同一又は反対回転方向に駆動することを特徴とするＣＤ等記録媒体研磨機。
【請求項２】
前記下部筐体に上部筐体を下降させて閉じた状態で、下部筐体と上部筐体の当接部を一周に渡り密閉するとともに、ターンテーブルとバフ研磨盤と仕上げ盤の周囲に形成された空間の一端側と他端側を結ぶバイパスダクトを下部筐体内に設け、そのバイパスダクトの途中にブロアと集塵フィルタを設けたことを特徴とする請求項１記載のＣＤ等記録媒体研磨機。
【請求項３】
絡合片９ａを付設した駆動モーター９の下端部に同様に絡合片を配した仕上げ盤８を係着させるため、該仕上げ盤８の外径と一致した内径の周縁部ｋ１を有する円形の台盤を有するカップリング補助具を備えたことを特徴とする請求項１ないし２記載のＣＤ等記録媒体研磨機。
【発明の詳細な説明】
【０００１】
【発明の属する技術分野】
本発明は、表面に傷のついたＣＤ（コンパクトディスク）、ＤＶＤ、光ディスク等の記録媒体を研磨して再生するＣＤ研磨機に関する。
【０００２】
【従来の技術】
従来、ＣＤ研磨機として、特許文献１に記載のものが知られている。これは、予め研磨剤を塗布したプラスチック製円盤（ＣＤ）の表面にバフを押圧した状態で接触させ、電圧調整器によりバフの停止状態から徐々にモーターの回転を上昇させていき、バフの回動力とプラスチック製円盤の摩擦力によりターンテーブルの回転を誘発し、バフの回転に追随してプラスチック製円盤が回転し始めた時点でモーターの回転速度を一定に保って研磨するものである。
【０００３】
【特許文献１】特開平７−２７６２１１号公報
【０００４】
【発明が解決しようとする課題】
しかしながら、このＣＤ研磨機の場合、ＣＤが載置されたターンテーブルは動力によって駆動されずフリーであり、押圧されたバフの回転に追従して回転するだけである。そのため、ＣＤの回転が不安定であり、しかもＣＤとバフの相
対速度がＣＤの半径方向の位置によって異なることとなり、仕上がりの品質が不安定であるとともに研磨の能率が著しく悪かった。そこで本発明は、仕上がりの品質が一定で研磨能率の優れたＣＤ等記録媒体の研磨機を提案することを目的とした。
【０００５】
【課題を解決するための手段】
上記課題を解決するために、請求項１の発明は、上面にＣＤが載置されてモータによって回転駆動されるターンテーブルと、このターンテーブルに対向する上方に回転軸をＣＤの縁より外側にして支持されたバフ研磨盤と、前記ターンテーブルに対向する上方であって前記バフ研磨盤の反対位置に回転軸をＣＤの縁より外側にして支持されたスポンジからなる仕上げ盤と、前記ターンテーブルの駆動モータ部を収納する下部筐体と、この下部筐体に上下方向開閉自在に支持されるとともに前記バフ研磨盤および仕上げ盤のそれぞれの駆動モータ部を収納する上部筐体と、前記上部筐体に収納されたバフ研磨盤および仕上げ盤の上端部にそれぞれ設けられて盤の下端位置を昇降自在に調節する押圧レベル調整機構部と、前記上部筐体の前面に設けられてバフ研磨盤および仕上げ盤の駆動モータの消費電流をそれぞれ示す１対の電流計とを備え前記ターンテーブルとバフ研磨盤と仕上げ盤を同一又は反対回転方向に駆動することを特徴とする。
【０００６】
請求項２の発明は、請求項１の発明において、前記下部筐体に上部筐体を下降させて閉じた状態で、下部筐体と上部筐体の当接部を一周に渡り密閉するとともに、ターンテーブルとバフ研磨盤と仕上げ盤の周囲に形成された空間の一端側と他端側を結ぶバイパスダクトを下部筐体内に設け、そのバイパスダクトの途中にブロアと集塵フィルタを設けたことを特徴とする。
【０００７】
請求項３の発明は、絡合片９ａを付設した駆動モーター９の下端部に同様に絡合片を配した仕上げ盤８を係着させるため、該仕上げ盤８の外径と一致した内径の周縁部ｋ１を有する円形の台盤を有するカップリング補助具を備えたことを特徴とする。
【０００８】
【発明の実施の形態】
以下、図に基づいて本発明の実施形態を説明する。図１は本発明に係るＣＤ研磨機の縦断面図であり、図２は図１のＡ−Ａ線上の断面図である。図において、１は研磨するＣＤ２が載置されるターンテーブルであり、ターンテーブル１は下部筐体３内に収納された駆動モータ４により回転駆動される。ターンテーブル１の右側の上方には、バフ研磨盤５が対向して配設され、その駆動モータ６が上部筐体７内に収納されている。同様に、ターンテーブル１の左側の上方には、フェルト、綿バフ等からなる仕上げ盤８が対向して配設され、その駆動モータ９が上部筐体７内に収納されている。
【０００９】
なお、バフ研磨盤５および仕上げ盤８は、それぞれの回転中心がＣＤ２の縁より外側に位置している。また、駆動モータ６および駆動モータ９は、引っ張りコイルバネ１１〜１４により枠１５，１６を介して上部筐体７に吊り下げられているとともに、上部筐体７に螺着されたネジ１７，１８により、枠１５，１６
を下方に昇降自在に押圧して、バフ研磨盤５および仕上げ盤８の下端レベルを調節する。これら、引っ張りコイルバネ１１〜１４、枠１５，１６、ネジ１７，１８等により、押圧レベル調整機構部が構成される。
【００１０】
上部筐体７の後部内側には、換気ファン１９が設置されて上部筐体７内を換気する。また、上部筐体７の前面には、バフ研磨盤５および仕上げ盤８の駆動モータ６、駆動モータ９の消費電流をそれぞれ示す電流計２１，２２が設置されている。上部筐体７は、下部筐体３に蝶番２３により接続されて、上下方向に回動が自在である。上部筐体７と当接する下部筐体３の上端外周部には、パッキン２４が貼着されていて、上部筐体７を下降させて下部筐体３に当接した状態で、外周部をシールする。
【００１１】
図３は、図２の状態から上部筐体７を上方に押し上げて開放した状態を示す。この状態で、ターンテーブル１の上面に、研磨しようとするＣＤ２を載置したり、研磨の終了したＣＤ２を取り除くことが可能である。
【００１２】
図４は、下部筐体３の内側の換気構造を示す。下部筐体３と上部筐体７の間には、ターンテーブル１、バフ研磨盤５、仕上げ盤８が収納される空間Ｓが形成される。図４では、ターンテーブル１、バフ研磨盤５、仕上げ盤８の記載を省略し、空間Ｓのみを示している。この空間Ｓの左右両端部から下部筐体３内の下方にバイパスダクト２５が形成され、その途中に集塵フィルタ２６およびブロア２７が配設されている。このように構成されたことで、空間Ｓ内でバフ研磨盤５等によりＣＤ２から発生した研磨クズは、空気とともにバイパスダクト２５の右端から下方に吸引され、集塵フィルタ２６により除去されて、清浄な空気のみがブロア２７を経て、空間Ｓに吐出される。
【００１３】
図５は、カップリング補助具Ｋを示したもので、絡合片９ａを付設した駆動モーター９の下端部に同様に絡合片を配した仕上げ盤８を係着させるにあたって、該仕上げ盤８の外径と一致した内径の周縁部ｋ１を有する円形の台盤を備えて成る。
【００１４】
次に上述したＣＤ研磨機の使用方法について説明する。先ず、図３に示すように、上部筐体７を上方に押し上げてＣＤ研磨機を開放する。そして、図５に示す如く、仕上げ盤８をカップリング補助具ｋの周縁部ｋ１内に挿入し、そのまま該周縁部ｋ１を駆動モーター９の下端部に嵌合させる。すると、下端部に付設した絡合片９ａと仕上げ盤８の絡合片とを、正確に一致した位置に容易に係着させることができる。次に、ターンテーブル１の上面に、研磨しようとするＣＤ２を、研磨面を上にして載置し、研磨面に研磨剤を塗布する。次いで、上部筐体７の上面のネジ１７，１８の両方を緩め、バフ研磨盤５および仕上げ盤８の下面レベルを上昇させる。この状態で上部筐体７を手前に引下げて閉じ、下部筐体３に当接させる。次に、ターンテーブル１の駆動モータ４と、バフ研磨盤５の駆動モータ６のスイッチを投入する。ターンテーブル１の駆動モータ４と、バフ研磨盤５の駆動モータ６は同一方向に回転駆動される。
【００１５】
両モータの起動が確認されたら、次に、バフ研磨盤５の駆動モータ６の電流計２１を目視しながら、ネジ１７を回して、バフ研磨盤５の下面レベルを下降させる。バフ研磨盤５の下面が、ターンテーブル１のＣＤ２に当接すると、研磨が開始され、その抵抗により電流計２１の示す電流値が上昇する。この電流値が所定の範囲内におさまるところで、押しネジ１７の操作を停止する。この状態で一定時間ＣＤ２を研磨する。一定時間が経過して研磨が終了すると、押しネジ１７を回して、バフ研磨盤５を上昇させ、駆動モータ６のみを停止させる。
【００１６】
次に、仕上げ盤８の駆動モータ９のスイッチを投入する。駆動モータ９も、ターンテーブル１の駆動モータ４と同一方向に回転駆動される。駆動モータ９の起動が確認されたら、次に、仕上げ盤８の駆動モータ９の電流計２２を目視しながら、押しネジ１８を回して、仕上げ盤８の下面レベルを下降させる。仕上げ盤８の下面が、ターンテーブル１のＣＤ２に当接すると、その抵抗により電流計２１の示す電流値が上昇する。この電流値が所定の範囲内におさまるところで、押しネジ１８の操作を停止する。この状態で一定時間が経過したら、押しネジ１８を緩めて、仕上げ盤８を上昇させ、駆動モータ９およびターンテーブル１の駆動モータ４を停止させる。次に、上部筐体７を上方に押し上げてＣＤ２を取り出して研磨作業を終了するが、このとき、同一箇所の研磨を防ぐため、駆動モーター４が上部筺体７を押し上げるまで回転を継続し、一定時間例えば３０秒が経過したらタイマーが作動して自動的に駆動モーター４を停止させるのが望ましい。
【００１７】
本発明では、ＣＤ２が載置されるターンテーブル１とバフ研磨盤５および仕上げ盤８の回転方向を同一方向とすると、ＣＤ２とバフ研磨盤５または仕上げ盤８との相対速度が、ＣＤ２の表面上の中心からの位置によってもあまり変化せず、特に、両者の回転速度を一致させた場合は、ＣＤ２の表面上のいずれの位置でも相対速度は同一となり、均一な研磨結果が得られる。一方、この回転方向を互いに反対方向とすると、研磨粉が内側によせられて外側への粉の飛散が抑制され、いずれの回転方向を選択するかは、目的に合わせて適宜選択する。
なお、下部筐体３内のブロア２５は、ターンテーブル１の駆動モータ４と電源回路が共通に配線されており、ターンテーブル１の回転中はブロア２５も作動して、発生した研磨クズが回収され、作業環境が清浄に保たれる。
上述の実施形態では、下部筐体３と上部筐体７を蝶番２３により開閉自在に支持したが、他の方法、例えばスライドシャフト等を介して上下動自在に支持することも可能である。
【００１８】
【発明の効果】
以上述べたように本発明によれば、ＣＤを載置したターンテーブルがモータにより強制駆動されるとともに、その上方の外側に対向するバフ研磨盤等もモータにより同方向に駆動されることで、ＣＤとバフ等の相対速度がＣＤの半径方向の位置によってもあまり変わらず仕上がりの品質が安定するとともに、研磨の能率も向上する。また、作業中に発生した研磨クズが下部筐体内の集塵フィルタに回収され、作業環境が清浄に保たれる。
【図面の簡単な説明】
【図１】本発明に係るＣＤ研磨機の実施形態の縦断面図である。
【図２】図１のＡ−Ａ線上の断面図である。
【図３】図２の状態から上部筐体を上方に押し上げて開放した状態を示す図である。
【図４】下部筐体の内側の換気構造を示す断面図である。
【図５】カップリング補助具で仕上げ盤を取着する状態を示すもので、（Ａ）が斜視図、（Ｂ）が装着した際の断面図
【符号の説明】
１  ターンテーブル
２  ＣＤ
３  下部筐体
４  駆動モータ
５  バフ研磨盤
６  駆動モータ
７  上部筐体
８  仕上げ盤
９  駆動モータ
１１〜１４    引っ張りコイルバネ
１５，１６  枠
１７，１８  ネジ
１９  換気ファン
２１，２２  電流計
２３  蝶番
２４  パッキン
２５  バイパスダクト
２６  集塵フィルタ
２７  ブロア
Ｓ  空間
Ｋ  カップリング補助具
【図１】
2004185711.tif 000003
【図２】
2004185711.tif 000004
【図３】
2004185711.tif 000005
【図４】
2004185711.tif 000006
【図５】
2004185711.tif 000007